(57)【要約】【課題】  画像毎にプロファイルを選択してカラーマッチングを行い、入出力デバイスや画像の特性により適切に且つ柔軟に対応できる画像処理装置を提供する。【解決手段】  プリント注文ファイルの画像を順次表示するプレジャッジ画面を作成するプレジャッジ画面作成部３６ａと、プレジャッジ画面に表示された画像に対し画像処理を行う画像処理部４２と、所定の出力条件毎にカラー属性を定義したプロファイルを格納するプロファイル格納部４１ａと、画像毎に、出力条件に応じて個別にプロファイルを選択するプロファイル選択部４３と、プレジャッジ画面に、画像毎に、選択されたプロファイルを表示するプロファイル表示部４４と、画像毎に選択されたプロファイルを用いてカラーマッチングを行うカラーマッチング部４５とを備える。【選択図】        図３
2006109320.tif 000002
【特許請求の範囲】
【請求項１】
プリント注文ファイルを受け取り画像をプリントする写真プリント装置の出力条件に応じて、前記画像のカラーマッチングを行う画像処理装置であって、
前記プリント注文ファイルの画像を順次表示するプレジャッジ画面を作成するプレジャッジ画面作成部と、
前記プレジャッジ画面に表示された前記画像に対し画像処理を行う画像処理部と、
所定の出力条件毎にカラー属性を定義したプロファイルを格納するプロファイル格納部と、
前記画像毎に、前記出力条件に応じて個別に前記プロファイルを選択するプロファイル選択部と、
前記画像毎に選択された前記プロファイルを用いてカラーマッチングを行うカラーマッチング部とを備える画像処理装置。
【請求項２】
前記プレジャッジ画面に、前記画像毎に、選択された前記プロファイルを表示するプロファイル表示部を備える請求項１に記載の画像処理装置。
【請求項３】
前記プロファイル格納部が、屋内で撮影された画像に対し使用する屋内用プロファイルと屋外で撮影された画像に対し使用する屋外用プロファイルとを含む請求項１または２に記載の画像処理装置。
【請求項４】
前記プレジャッジ画面が、前記画像を表示する画像表示領域と、前記画像毎に選択された前記プロファイルを表示するプロファイル表示領域と、前記画像表示領域に表示された画像のプロファイルを個別に指定するプロファイル指定領域とを備える請求項１乃至３の何れか１項に記載の画像処理装置。
【発明の詳細な説明】
【技術分野】
【０００１】
本発明は、画像処理装置、特に、プリント注文ファイルを受け取り画像をプリントする写真プリント装置の出力条件に応じて、前記画像のカラーマッチングを行う画像処理装置に関する。
【背景技術】
【０００２】
一般に、画像をプリントする場合、使用する印画紙やインクの品質等、入出力デバイスの違いによって色特性や色の再現領域が異なる。このため、例えば、デジタルカメラや携帯電話等によって撮影された画像をプリントする写真プリント装置では、入力された画像の色が同一の色に再現されるように、カラー属性を定義したプロファイルを用いて入出力デバイス間の色差を補正するカラーマッチングを行っている。このような従来の写真プリント装置では、画像及びプリントしたいコマや枚数等の指定情報を記録したプリント注文ファイル毎にプロファイルを指定している。
この種の技術には、画像を作成した入力デバイスのプロファイルと、出力デバイスの標準的なプロファイルとを用いて、画像のカラーマッチングを行う画像処理装置がある（例えば、特許文献１参照）。
【０００３】
【特許文献１】特開２００４−２４０６０６号公報
【発明の開示】
【発明が解決しようとする課題】
【０００４】
しかしながら、特許文献１の装置においては、プリント注文ファイルの全ての画像に対し同じプロファイルを用いてカラーマッチングが行われるが、プリント注文ファイルには、色特性や適切な色の再現領域の異なる画像、例えば、屋内で撮影された画像と屋外で撮影された画像とが混在していることがある。このため、同じプリント注文ファイルの画像であっても、画像によっては、モニタ等に表示された色とプリントされた色とが微妙に異なってしまうものがあるという問題があった。
また、従来の写真プリント装置では、プロファイルの変更は、プリント注文ファイルの画像を順次表示し編集を行うプレジャッジ画面上ではなく、別の画面上でプロファイルを変更する構成であったため、プロファイルの変更に手間を要するものであった。
【０００５】
本発明は上記の問題に鑑みてなされたものであり、その目的は、画像毎にプロファイルを選択してカラーマッチングを行い、入出力デバイスや画像の特性により適切に且つ柔軟に対応できる画像処理装置を提供する点にある。
【課題を解決するための手段】
【０００６】
この目的を達成するための本発明に係る画像処理装置の特徴構成は、プリント注文ファイルを受け取り画像をプリントする写真プリント装置の出力条件に応じて、前記画像のカラーマッチングを行う画像処理装置であって、前記プリント注文ファイルの画像を順次表示するプレジャッジ画面を作成するプレジャッジ画面作成部と、前記プレジャッジ画面に表示された前記画像に対し画像処理を行う画像処理部と、所定の出力条件毎にカラー属性を定義したプロファイルを格納するプロファイル格納部と、前記画像毎に、前記出力条件に応じて個別に前記プロファイルを選択するプロファイル選択部と、前記画像毎に選択された前記プロファイルを用いてカラーマッチングを行うカラーマッチング部とを備える点にある。
【０００７】
即ち、上記特徴構成によれば、プレジャッジ画面上で、画像毎に、色特性や適切な色の再現領域に応じてプロファイルを個別設定することができる。これによって、プリント注文ファイルに色特性や色の再現領域の異なる画像が混在する場合であっても、全ての画像について、出力される画像の色を入力された画像の色により近づけて再現することができる。
また、プレジャッジ画面上で画像を確認しながらプロファイルを設定するので、プロファイルの変更が容易になる。
【０００８】
この目的を達成するための本発明に係る画像処理装置の他の特徴構成は、前記プレジャッジ画面に、前記画像毎に、選択された前記プロファイルを表示するプロファイル表示部を備える点にある。
上記特徴構成によれば、誤って不適切なプロファイルが指定されるのを軽減することができる。
【０００９】
更に、他の特徴構成は、前記プロファイル格納部が、屋内で撮影された画像に対し使用する屋内用プロファイルと屋外で撮影された画像に対し使用する屋外用プロファイルとを含む点にある。
【００１０】
屋内で撮影された画像と屋外で撮影された画像とでは照明が異なり、色特性及び最適な色再現領域が異なることから、上記特徴構成の如く、屋内用のプロファイルと屋外用のプロファイルとを設定することで、画像の色特性及び色再現領域により適切に対応したカラーマッチングを行うことができ、出力される画像の色を入力された画像の色により近づけて再現することができる。
【００１１】
また、他の特徴構成は、前記プレジャッジ画面が、前記画像を表示する画像表示領域と、前記画像毎に選択された前記プロファイルを表示するプロファイル表示領域と、前記画像表示領域に表示された画像のプロファイルを個別に指定するプロファイル指定領域とを備える点にある。
【００１２】
上記特徴構成によれば、プレジャッジ画面の具体的な実施態様を得ることができ、プレジャッジ画面上で、画像とこの画像に対し選択されたプロファイルとを共に視認しながらプロファイルを変更できるので、プロファイルの変更が容易になると共に、適切なプロファイルが選択されているかを容易に確認できる。
本発明によるその他の特徴及び利点は、以下図面を用いた実施形態の説明により明らかになるだろう。
【発明を実施するための最良の形態】
【００１３】
本発明に係る画像処理装置の実施形態を図面に基づいて説明する。
図１は、本発明に係る写真プリント装置の外観図であり、この写真プリント装置は、印画紙Ｐに対して露光処理と現像処理とを行う写真プリンタとしてのプリントステーション１Ｂと、現像済み写真フィルム２ａやデジタルカメラ用メモリカード２ｂなどの画像記録メディアから取り込んだ撮影画像を処理してプリントステーション１Ｂで使用されるプリントデータの生成・転送などを行う操作ステーション１Ａとから構成されている。
【００１４】
この写真プリント装置はデジタルミニラボとも称せられるものであり、特に図２からよく理解できるように、プリントステーション１Ｂは２つの印画紙マガジン１１に納めたロール状の印画紙Ｐを引き出してシートカッター１２でプリントサイズに切断し、このように切断された印画紙Ｐに対し、バックプリント部１３で色補正情報やコマ番号などのプリント処理情報を印画紙Ｐの裏面に印字するとともに、プリント露光部１４で印画紙Ｐの表面（感光面）に撮影画像の露光を行い、この露光後の印画紙Ｐを複数の現像処理槽を有した処理槽ユニット１５に送り込んで現像処理する。乾燥の後に装置上部の横送りコンベア１６からソータ１７に送られた印画紙Ｐ、つまり写真プリントＰは、このソータ１７の複数のトレイにオーダ単位で仕分けられた状態で集積される（図１参照）。
【００１５】
上述した印画紙Ｐに対する各種処理に合わせた搬送速度で印画紙Ｐを搬送するために印画紙搬送機構１８が敷設されている。印画紙搬送機構１８は、印画紙搬送方向に関してプリント露光部１４の前後に配置されたチャッカー式印画紙搬送ユニット１８ａを含む複数の挟持搬送ローラ対から構成されている。
【００１６】
プリント露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。処理槽ユニット１５は、発色現像処理液を貯留する発色現像槽１５ａと、漂白定着処理液を貯留する漂白定着槽１５ｂと、安定処理液を貯留する安定槽１５ｃを備えている。
【００１７】
操作ステーション１Ａのデスク状コンソールの上部位置には、写真フィルム２ａの撮影画像コマから撮影画像データ（以下単に画像と略称する）を取得することができるフィルムスキャナ２０が配置されており、デジタルカメラ等に装着される撮影画像記録媒体２ｂとして用いられている各種メモリカードやＣＤ−Ｒなどから画像を取得するメディアリーダ２１は、この写真プリント装置のコントローラ３として機能する汎用パソコンに組み込まれている。この汎用パソコンには、さらに各種情報を表示するモニタ２３、各種設定や調整を行う際に用いる操作入力部として利用される操作入力デバイスとしてのキーボード２４やマウス２５も接続されている。
【００１８】
この写真プリント装置のコントローラ３は、ＣＰＵを中核部材として、写真プリント装置の種々の動作を行うための機能部をハードウエア又はソフトウエアあるいはその両方で構築しており、プリント注文ファイルを受け取り画像をプリントする写真プリント装置の出力条件に応じて、画像のカラーマッチングを行う画像処理装置として機能する。
【００１９】
コントローラ３の本発明に特に関係するインターフェース系の機能部としては、図３に示すように、フィルムスキャナ２０やメディアリーダ２１によって読み取られた画像に次の処理のために必要な前処理を施してメモリ３０に展開する画像データ入力部３１と、キーボード２４やマウス２５からのユーザ操作入力を処理して適当な内部処理コマンドに変換する操作入力処理部３２と、種々の画像情報を最終的にモニタ２３に表示させるためのビデオ信号を生成するビデオ制御部３３と、処理が完了した処理済み画像データに基づいてプリントステーション１Ｂに装備されているプリント露光部１４に適したプリントデータを生成するプリントデータ生成部３４と、顧客の要望に応じて生の画像データや編集済みの画像等をＣＤやＤＶＤに書き込むための形式にフォーマットするフォーマッタ部３５と、プレジャッジ画面５０や編集画面などのグラフィック操作画面の作成やそのようなグラフィック操作画面を通じてのユーザ操作入力から変換された内部処理コマンドを管理するグラフィックユーザインターフェース（以下ＧＵＩと略称する）を構築するＧＵＩ部３６などが挙げられる。
【００２０】
さらに、処理系の機能部としては、後で詳しく説明するプレジャッジ画面５０に表示された画像に対し、所定の画像処理を行う画像処理部４２と、画像毎に、出力条件に応じて個別にプロファイルを選択するプロファイル選択部４３と、プレジャッジ画面５０に、画像毎に、選択されたプロファイルを表示するプロファイル表示部４４と、画像毎に選択されたプロファイルを用いてカラーマッチングを行うカラーマッチング部４５とが挙げられる。
【００２１】
画像データ入力部３１は、プリント注文データを受取りメモリ３０に記憶する。詳細には、例えば、撮影画像記録媒体がフィルム２ａの場合、プレスキャンモードと本スキャンモードとのスキャンデータを別々にメモリ３０に送り込み、それぞれの目的に合わせた前処理を行う。また、撮影画像記録媒体がメモリカード２ｂの場合、取り込んだ画像にサムネイル画像（低解像度データ）が含まれているときはモニタ２３での一覧表示などの目的で使用するため撮影画像の本データ（高解像度データ）とリンクされたアドレスのメモリ３０に送り込むが、もしサムネイル画像データが含まれていないときは本データから縮小画像を作り出してサムネイル画像データとして同様に本データのアドレスとリンクされたアドレスのメモリ３０に送り込む。
【００２２】
ＧＵＩ部３６は、図４に例示するようなプレジャッジ画面５０を生成するプレジャッジ画面作成部３６ａと、画像処理部４２によって編集された画像をプレジャッジ画面５０上に表示する編集画面作成部３６ｂと、プレジャッジ画面５０を含む種々の操作画面を通じて取得した内部処理コマンドを管理する処理コマンド管理部３６ｃとを備えている。
【００２３】
プレジャッジ画面作成部３６ａは、プロファイル選択部４３が、撮影画像とプリントしたいコマや枚数等の指定情報とを記録したプリント注文データを受取ると、プレジャッジ画面５０を作成しモニタ２３に表示する。このプレジャッジ画面５０は、プリント注文ファイルの画像を順次表示する画像表示領域５１と、画像毎に選択されたプロファイルを表示するプロファイル表示領域５６と、画像表示領域５１に表示された画像のプロファイルを個別に指定するプロファイル指定領域５７とを備えている。尚、本実施形態では、プレジャッジ画面５０上で合成等の画像処理を実行可能に構成されている。
【００２４】
ここで、図４はプレジャッジ画面５０の一例を示している。一般的なプレジャッジ画面５０では、フィルム１本分やメモリカード１枚分の撮像コマがその画像チェックのために画像表示領域５１に順次表示される。尚、図４では、画像表示領域５１に６コマの画像が配置されているが、操作入力デバイスから表示するコマ数を一定の範囲内から選択するように構成するのも好適である。各画像表示領域５１の下側には色濃度補正設定エリア５２とプリント枚数設定エリア５３が配置されている。色濃度補正設定エリア５２には「イエロー」、「マゼンタ」、「シアン」、「濃度」の設定枠が設けられており、補正量の「Ｎ」はニュートラルを表し補正なしを意味している。プリント枚数設定エリア５３にはプリント枚数を入力する入力枠が設けられており、この入力枠に「パス」が表示された場合その撮影画像はプリント対象外となっていることを意味している。プレジャッジ画面５０の下方にはプリント条件表示欄５４が配置されており、この写真プリント出力に適用されたプリントチャンネル名称の表示や、このプリントチャンネルに含まれているプリントサイズやインデックスプリントの要否やメディア出力の要否などが示されている。プリントサイズは仕上がり写真プリントＰの大きさを示すものであり、印画紙幅と送り長さでプリントサイズが決定される。また、各撮影画像表示枠５１の左上側にはこの撮影画像表示枠５１に表示されている撮影画像のコマ番号又は撮影画像のファイル名を表示するコマ識別コード表示欄５５が配置されている。
【００２５】
画像処理部４２は、プレジャッジ画面５０上に表示された画像に対し所定の画像処理を行う。本実施形態の画像処理部４２の機能としては、よく知られている画像処理フィルタなどのほか、プレジャッジ画面５０に表示される画像の低解像度画像データの指定、プレジャッジ画面５０に表示される画像のプリント時におけるシミュレート画像の生成、及び、画像にテンプレート等を合成する合成処理などが実装されている。
【００２６】
プロファイル管理部４１は、プロファイル格納部４１ａへの新たなプロファイルの記録や格納されているプロファイルの検索等の処理を行う。プロファイル格納部４１ａは、出力条件に応じて、デバイスごとのカラー属性を定義したプロファイルを格納している。出力条件としては、例えば、フィルムやデジタルカメラ等の入力デバイス、光沢紙やマット紙（非光沢紙）等の印画紙Ｐの画質、及び、スタジオ（屋内）で撮影された画像や屋外で撮影された画像等の撮影時の照明等が設定されており、各条件に基づいてプロファイルが設定されている。このプロファイルは、ＸＹＺ表色系やＲＧＢ表色系、Ｌ＊ａ＊ｂ＊表色系などの共通規格で記述される。
【００２７】
プロファイル選択部４３は、出力条件に応じて画像毎に個別にプロファイルを選択する。ここで、本実施形態では、上述したプレジャッジ画面５０の起動時に自動的に前設定されたプロファイルが選択され、適宜個別に変更する。プレジャッジ画面５０の左下側には、画像表示領域５１に表示された画像のプロファイルを個別に変更するためのプロファイル指定領域５７が設定されている。プロファイルを変更する画像が表示されている画像表示領域５１を選択し、プロファイル指定領域５７を選択すると、指定可能なプロファイル名を記したプロファイル一覧が表示される。プロファイル一覧から使用するプロファイルを選択することで、選択した画像のプロファイルを変更することができる。尚、プロファイル一覧には、使用可能なプロファイルのみを表示しても良いし、プロファイル格納部４１ａに記憶されている全てのプロファイルを表示し、使用できるプロファイルのみを選択できるように構成するのも好適である。
【００２８】
プロファイル表示部４４は、プレジャッジ画面５０に、画像毎に、選択されたプロファイルを表示する。上述したプレジャッジ画面５０には、画像表示領域５１の右上側に、画像毎に選択されたプロファイルを表示するプロファイル表示領域５６が設けられている。本実施形態では、プレジャッジ画面５０の起動時に、先ず、プロファイル選択部４３によって選択されたデフォルトのプロファイルを表示する。プレジャッジ画面５０においてプロファイルが変更されると、プロファイル選択部４３から変更する画像とプロファイルとを示すデータを取得し、プロファイルを変更した画像に対するプロファイル表示領域５６の表示を変更する。
【００２９】
カラーマッチング部４５は、プロファイル選択部４３からプリント露光部１４においてプリントする画像とプロファイルとを対応付けて記録したデータを受取り、出力される画像の色を入力された画像の色により近づけて再現するために、画像毎に選択されたプロファイルを用いてカラーマッチングを行う。尚、本実施形態では、プロファイル格納部４１ａに記憶されているのは出力条件に応じたプロファイルであるが、デジタルカメラ等の入力デバイスについても機器毎にそれぞれ異なった色特性や再現領域を持っているため、プロファイル選択部４３によって選択された出力条件に応じたプロファイルと共に、入力デバイスのプロファイルを用いてカラーマッチング処理を実行するのも好適である。
【００３０】
プリントデータ生成部３４は、このようにしてカラーマッチング処理を施された画像のデータと、プリントするコマ数等を指定した指定情報を受取り、プリント露光部１４に出力してプリント注文データの画像をプリントする。これによって利用者は、入力された画像を意図通りの忠実な色に再現された写真プリントを得ることができる。
【００３１】
上述した実施の形態では、プリントステーション１Ｂは、印画紙Ｐに対し、レーザ式露光エンジンを備えたプリント露光部１４で撮影画像の露光を行い、この露光後の印画紙Ｐを複数の現像処理する、いわゆる銀塩写真プリント方式を採用していたが、もちろん、本発明におけるプリントステーション１Ｂは、このような方式に限定されるわけではなく、例えば、フィルムや紙にインクを吐出して画像を形成するインクジェットプリント方式や感熱転写シートを用いた熱転写方式など、種々の写真プリント方式を採用することができる。
【図面の簡単な説明】
【００３２】
【図１】本発明による写真プリント装置の一例を示す外観図
【図２】図１による写真プリント装置を構成するプリントステーションの説明図
【図３】図１による写真プリント装置のコントローラの機能を示す機能ブロック図
【図４】プレジャッジ画面の一例を示す画面図
【符号の説明】
【００３３】
１Ａ    操作ステーション
１Ｂ    プリントステーション
２３    モニタ
３４    プリントデータ生成部
３６    ＧＵＩ部
３６ａ  プレジャッジ画面作成部
４１    プロファイル管理部
４１ａ  プロファイル格納部
４２    画像処理部
４３    プロファイル選択部
４４    プロファイル表示部
４５    カラーマッチング部
Ｐ  印画紙
【図１】
2006109320.tif 000003
【図２】
2006109320.tif 000004
【図３】
2006109320.tif 000005
【図４】
2006109320.tif 000006